(57)【要約】【課題】  製造コストの低減を図ると共に光ピックアップに対する位置検出センサ一の位置精度の向上を図る。【解決手段】  光ピックアップ１５をディスク状記録媒体の半径方向へ案内する一対のガイド軸１０、１１と、光ピックアップが配置されるピックアップ配置孔３ａを有するベースシャーシ３に取り付けられ少なくとも一方のガイド軸を保持する軸保持板９と、第１の部分１６と該第１の部分に対して折り返される第２の部分１７と該第２の部分が第１の部分に対して折り返されたときに屈曲される屈曲部１８とを有すると共に第２の部分に光ピックアップの移動位置の検出を行う位置検出センサ一２２、２２が搭載され位置検出センサーを含む全ての電子部品が一方の面に搭載されたフレキシブルプリント配線板４とを設け、フレキシブルプリント配線板の少なくとも第２の部分を軸保持板に取り付けた。【選択図】        図４
2008251105.tif 000002
【特許請求の範囲】
【請求項１】
ディスク状記録媒体に対する情報信号の記録時又は再生時に移動される光ピックアップをディスク状記録媒体の半径方向へ案内する光ピックアップの案内機構であって、
光ピックアップをディスク状記録媒体の半径方向へ案内する一対のガイド軸と、
光ピックアップが配置されるピックアップ配置孔を有するベースシャーシに取り付けられ少なくとも一方のガイド軸を保持する軸保持板と、
第１の部分と該第１の部分に対して折り返される第２の部分と該第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、
フレキシブルプリント配線板の少なくとも第２の部分を軸保持板に取り付けた
ことを特徴とする光ピックアップの案内機構。
【請求項２】
ベースシャーシ及び軸保持板に第１の部分と第２の部分が重ならない状態でフレキシブルプリント配線板を取り付けた
ことを特徴とする請求項１に記載の光ピックアップの案内機構。
【請求項３】
フレキシブルプリント配線板にベースシャーシと軸保持板を跨いだ状態で取り付けられる保護部を設け、
折り返された第２の部分の一部が保護部に重なるようにした
ことを特徴とする請求項１に記載の光ピックアップの案内機構。
【請求項４】
ディスク状記録媒体に対する情報信号の記録又は再生を行うディスクドライブ装置であって、
ピックアップ配置孔を有するベースシャーシと、
該ピックアップ配置孔に配置されディスク状記録媒体に対する情報信号の記録時及び再生時にディスク状記録媒体の半径方向へ移動される光ピックアップと、
該光ピックアップをディスク状記録媒体の半径方向へ案内する一対のガイド軸と、
ベースシャーシに取り付けられ少なくとも一方のガイド軸を保持する軸保持板と、
第１の部分と該第１の部分に対して折り返される第２の部分と該第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、
フレキシブルプリント配線板の少なくとも第２の部分を軸保持板に取り付けた
ことを特徴とするディスクドライブ装置。
【請求項５】
ディスク状記録媒体に対する情報信号の記録時又は再生時に移動される光ピックアップをディスク状記録媒体の半径方向へ案内する光ピックアップの案内機構であって、
光ピックアップをディスク状記録媒体の半径方向へ案内する一対のガイド軸と、
光ピックアップが配置されるピックアップ配置孔を有しガイド軸を保持する保持部が設けられたベースシャーシと、
第１の部分と該第１の部分に対して折り返される第２の部分と第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、
フレキシブルプリント配線板をベースシャーシに取り付けた
ことを特徴とする光ピックアップの案内機構。
【請求項６】
第２の部分の第１の部分に対する折返し方向に直交する方向における中央部に対して当該直交する方向に偏倚した部分に屈曲部を連結し、
第２の部分の上記直交する方向における中央部に第２の部分をネジ止めによりベースシャーシに取り付けるためのネジ挿通孔を形成した
ことを特徴とする請求項５に記載の光ピックアップの案内機構。
【請求項７】
ディスク状記録媒体に対する情報信号の記録又は再生を行うディスクドライブ装置であって、
ピックアップ配置孔を有するベースシャーシと、
該ピックアップ配置孔に配置されディスク状記録媒体に対する情報信号の記録時及び再生時にディスク状記録媒体の半径方向へ移動される光ピックアップと、
該光ピックアップをディスク状記録媒体の半径方向へ案内する一対のガイド軸と、
第１の部分と該第１の部分に対して折り返される第２の部分と第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、
フレキシブルプリント配線板をベースシャーシに取り付けた
ことを特徴とするディスクドライブ装置。
【発明の詳細な説明】
【技術分野】
【０００１】
本発明は光ピックアップの案内機構及びディスクドライブ装置についての技術分野に関する。詳しくは、ガイド軸を保持する軸保持板にフレキシブルプリント配線板における折り返された第２の部分を取り付けて光ピックアップに対する位置検出センサ一の位置精度の向上等を図る技術分野に関する。
【背景技術】
【０００２】
ディスクテーブルに装着されるディスク状記録媒体に対して情報信号の記録又は再生を行うディスクドライブ装置には、ディスク状記録媒体の半径方向へ移動される光ピックアップが設けられている（例えば、特許文献１参照）。
【０００３】
光ピックアップには対物レンズを所望の方向へ動作させる対物レンズ駆動装置やレーザー光を出射するレーザーダイオード等の発光部が設けられ、一対のガイド軸に案内されてディスク状記録媒体の半径方向へ移動されている状態において、発光部から出射された光が対物レンズによって集光されてディスク状記録媒体の記録面に照射され、情報信号の記録又は再生が行われる。
【０００４】
ディスクドライブ装置には、ディスク状記録媒体のディスクテーブルに対する装着の有無やディスク状記録媒体の種類を検出するためのメディア検出センサーと光ピックアップの移動位置の検出を行うための位置検出センサーとが必要とされ、これらの各センサーがフレキシブルプリント配線板に搭載されている。
【０００５】
メディア検出センサーと位置検出センサーは光ピックアップ等の各部の組付位置等によってフレキシブルプリント配線板に対して反対向きに配置される。このようにメディア検出センサーと位置検出センサーを反対向きに配置する方法として、一つのフレキシブルプリント配線板の一方の片面にメディア検出センサーを搭載し他方の片面に位置検出センサーを搭載して両面基板を構成する方法、又は、二つのフレキシブルプリント配線板にそれぞれメディア検出センサーと位置検出センサーを各別に搭載して２つのセンサーが反対の向きとなるように各フレキシブルプリント配線板を配置する方法がある。
【０００６】
【特許文献１】特開平１１−２３８３２９号公報
【発明の開示】
【発明が解決しようとする課題】
【０００７】
ところが、一つのフレキシブルプリント配線板の両面にそれぞれメディア検出センサーと位置検出センサーを搭載して両面基板を構成した場合には、センサーをフレキシブルプリント配線板の両面にそれぞれ搭載（マウント）する工程が必要となり作業工程が２工程となるため、製造コストが高騰すると言う問題がある。
【０００８】
また、二つのフレキシブルプリント配線板にそれぞれメディア検出センサーと位置検出センサーを搭載した場合には、フレキシブルプリント配線板のベースシャーシに対する組付工程が２回必要となり、組付作業に時間がかかると共にコスト高になると言う問題がある。
【０００９】
一方、位置検出センサーは光ピックアップの移動位置を検出するセンサーであるため、光ピックアップに対する位置精度の向上を図る必要がある。
【００１０】
そこで、本発明光ピックアップの案内機構は、製造コストの低減を図ると共に光ピックアップに対する位置検出センサ一の位置精度の向上を図ることを課題とする。
【課題を解決するための手段】
【００１１】
本発明光ピックアップの案内機構は、光ピックアップをディスク状記録媒体の半径方向へ案内する一対のガイド軸と、光ピックアップが配置されるピックアップ配置孔を有するベースシャーシに取り付けられ少なくとも一方のガイド軸を保持する軸保持板と、第１の部分と該第１の部分に対して折り返される第２の部分と該第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを設け、フレキシブルプリント配線板の少なくとも第２の部分を軸保持板に取り付けたものである。
【００１２】
本発明ディスクドライブ装置は、ピックアップ配置孔を有するベースシャーシと、該ピックアップ配置孔に配置されディスク状記録媒体に対する情報信号の記録時及び再生時にディスク状記録媒体の半径方向へ移動される光ピックアップと、該光ピックアップをディスク状記録媒体の半径方向へ案内する一対のガイド軸と、ベースシャーシに取り付けられ少なくとも一方のガイド軸を保持する軸保持板と、第１の部分と該第１の部分に対して折り返される第２の部分と該第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを設け、フレキシブルプリント配線板の少なくとも第２の部分を軸保持板に取り付けたものである。
【００１３】
別の本発明光ピックアップの案内機構は、光ピックアップをディスク状記録媒体の半径方向へ案内する一対のガイド軸と、光ピックアップが配置されるピックアップ配置孔を有しガイド軸を保持する保持部が設けられたベースシャーシと、第１の部分と該第１の部分に対して折り返される第２の部分と第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを設け、フレキシブルプリント配線板をベースシャーシに取り付けたものである。
【００１４】
別の本発明ディスクドライブ装置は、ピックアップ配置孔を有するベースシャーシと、該ピックアップ配置孔に配置されディスク状記録媒体に対する情報信号の記録時及び再生時にディスク状記録媒体の半径方向へ移動される光ピックアップと、該光ピックアップをディスク状記録媒体の半径方向へ案内する一対のガイド軸と、第１の部分と該第１の部分に対して折り返される第２の部分と第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを設け、フレキシブルプリント配線板をベースシャーシに取り付けたものである。
【００１５】
従って、本発明光ピックアップの案内機構及びディスクドライブ装置にあっては、ガイド軸を保持する軸保持板に位置検出センサーが搭載された第２の部分が取り付けられる。
【発明の効果】
【００１６】
本発明光ピックアップの案内機構は、ディスク状記録媒体に対する情報信号の記録時又は再生時に移動される光ピックアップをディスク状記録媒体の半径方向へ案内する光ピックアップの案内機構であって、光ピックアップをディスク状記録媒体の半径方向へ案内する一対のガイド軸と、光ピックアップが配置されるピックアップ配置孔を有するベースシャーシに取り付けられ少なくとも一方のガイド軸を保持する軸保持板と、第１の部分と該第１の部分に対して折り返される第２の部分と該第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、フレキシブルプリント配線板の少なくとも第２の部分を軸保持板に取り付けたことを特徴とする。
【００１７】
従って、フレキシブルプリント配線板の一方の面にのみ電子部品が搭載されているため、フレキシブルプリント配線板に対して電子部品を搭載する工程が１工程で済み、製造コストの低減を図ることができる。
【００１８】
また、光ピックアップを支持するガイド軸が保持された軸保持板に、光ピックアップの移動位置を検出する位置検出センサーが搭載された第２の部分が取り付けられているため、光ピックアップに対する位置検出センサーの位置精度の向上を図ることができる。
【００１９】
請求項２に記載した発明にあっては、ベースシャーシ及び軸保持板に第１の部分と第２の部分が重ならない状態でフレキシブルプリント配線板を取り付けたので、その分、ディスクドライブ装置の薄型化を図ることができる。
【００２０】
請求項３に記載した発明にあっては、フレキシブルプリント配線板にベースシャーシと軸保持板を跨いだ状態で取り付けられる保護部を設け、折り返された第２の部分の一部が保護部に重なるようにしたので、第２の部分が軸保持板の端縁に接触することがなく、第２の部分に形成された配線の断線を防止することができる。
【００２１】
本発明ディスクドライブ装置は、ディスク状記録媒体に対する情報信号の記録又は再生を行うディスクドライブ装置であって、ピックアップ配置孔を有するベースシャーシと、該ピックアップ配置孔に配置されディスク状記録媒体に対する情報信号の記録時及び再生時にディスク状記録媒体の半径方向へ移動される光ピックアップと、該光ピックアップをディスク状記録媒体の半径方向へ案内する一対のガイド軸と、ベースシャーシに取り付けられ少なくとも一方のガイド軸を保持する軸保持板と、第１の部分と該第１の部分に対して折り返される第２の部分と該第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、フレキシブルプリント配線板の少なくとも第２の部分を軸保持板に取り付けたことを特徴とする。
【００２２】
従って、フレキシブルプリント配線板の一方の面にのみ電子部品が搭載されているため、フレキシブルプリント配線板に対して電子部品を搭載する工程が１工程で済み、製造コストの低減を図ることができる。
【００２３】
また、光ピックアップを支持するガイド軸が保持された軸保持板に、光ピックアップの移動位置を検出する位置検出センサーが搭載された第２の部分が取り付けられているため、光ピックアップに対する位置検出センサーの位置精度の向上を図ることができる。
【００２４】
別の本発明光ピックアップの案内機構は、ディスク状記録媒体に対する情報信号の記録時又は再生時に移動される光ピックアップをディスク状記録媒体の半径方向へ案内する光ピックアップの案内機構であって、光ピックアップをディスク状記録媒体の半径方向へ案内する一対のガイド軸と、光ピックアップが配置されるピックアップ配置孔を有しガイド軸を保持する保持部が設けられたベースシャーシと、第１の部分と該第１の部分に対して折り返される第２の部分と第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、フレキシブルプリント配線板をベースシャーシに取り付けたことを特徴とする。
【００２５】
従って、フレキシブルプリント配線板の一方の面にのみ電子部品が搭載されているため、フレキシブルプリント配線板に対して電子部品を搭載する工程が１工程で済み、製造コストの低減を図ることができる。
【００２６】
また、光ピックアップを支持するガイド軸が保持された軸保持板に、光ピックアップの移動位置を検出する位置検出センサーが搭載された第２の部分が取り付けられているため、光ピックアップに対する位置検出センサーの位置精度の向上を図ることができる。
【００２７】
請求項６に記載した発明にあっては、第２の部分の第１の部分に対する折返し方向に直交する方向における中央部に対して当該直交する方向に偏倚した部分に屈曲部を連結し、第２の部分の上記直交する方向における中央部に第２の部分をネジ止めによりベースシャーシに取り付けるためのネジ挿通孔を形成したので、第２の部分が折り返された状態においてネジ挿通孔が屈曲部に重なることがなく、第２の部分の中央部をベースシャーシにネジ止めによって取り付けることができ、第２の部分のベースシャーシに対する取付状態の安定化を図ることができる。
【００２８】
別の本発明ディスクドライブ装置は、ディスク状記録媒体に対する情報信号の記録又は再生を行うディスクドライブ装置であって、ピックアップ配置孔を有するベースシャーシと、該ピックアップ配置孔に配置されディスク状記録媒体に対する情報信号の記録時及び再生時にディスク状記録媒体の半径方向へ移動される光ピックアップと、該光ピックアップをディスク状記録媒体の半径方向へ案内する一対のガイド軸と、第１の部分と該第１の部分に対して折り返される第２の部分と第２の部分が第１の部分に対して折り返されたときに屈曲される屈曲部とを有すると共に第２の部分に光ピックアップの移動位置の検出を行う位置検出センサ一が搭載され位置検出センサーを含む全ての電子部品が一方の面に搭載されたフレキシブルプリント配線板とを備え、フレキシブルプリント配線板をベースシャーシに取り付けたことを特徴とする。
【００２９】
従って、フレキシブルプリント配線板の一方の面にのみ電子部品が搭載されているため、フレキシブルプリント配線板に対して電子部品を搭載する工程が１工程で済み、製造コストの低減を図ることができる。
【００３０】
また、光ピックアップを支持するガイド軸が保持された軸保持板に、光ピックアップの移動位置を検出する位置検出センサーが搭載された第２の部分が取り付けられているため、光ピックアップに対する位置検出センサーの位置精度の向上を図ることができる。
【発明を実施するための最良の形態】
【００３１】
以下に、本発明を実施するための最良の形態を添付図面に従って説明する。
【００３２】
先ず、第１の最良の形態について説明する（図１乃至図５参照）。
【００３３】
ディスクドライブ装置１は、外筐２の内部に所要の各部材及び各機構が配置されて成り（図１参照）、外筐２には図示しないディスク挿入口が形成されている。ディスクドライブ装置１はスピンドルモーターを挟んだ反対側にそれぞれ光ピックアップが一つずつ配置された構成とされ、２つの光ピックアップに関連する各部品がスピンドルモーターを基準として対称な位置に配置されている。
【００３４】
このような２つの光ピックアップを有する装置としては、例えば、再生動作や記録動作の高速化を目的とした装置、異なる種類のディスク状記録媒体に対応して２つの光ピックアップが動作される装置等がある。
【００３５】
外筐２の内部には、例えば、上下方向を向く略長方形状に形成されたベースシャーシ３が配置されている。ベースシャーシ３には外周側の部分を除く全体にピックアップ配置孔３ａが形成されている。
【００３６】
ベースシャーシ３上には、ピックアップ配置孔３ａの両側にそれぞれフレキシブルプリント配線板４、４の一部を除いた部分が取り付けられている。ベースシャーシ３には駆動モーター５、５が固定され、該駆動モーター５、５にフレキシブルプリント配線板４、４の各一端部が接続されている。駆動モーター５、５の駆動により後述する光ピックアップがディスク状記録媒体１００の半径方向へ移動される。
【００３７】
ベースシャーシ３の中央部にはモーター取付板６が取り付けられている。モーター取付板６はピックアップ配置孔３ａを略同じ大きさの２つの部分に分離するようにベースシャーシ３に取り付けられている。
【００３８】
モーター取付板６上にはスピンドルモーター７が固定され、該スピンドルモーター７のモーター軸にディスクテーブル８が固定されている。
【００３９】
ベースシャーシ３には、ピックアップ配置孔３ａの開口縁に沿って軸保持板９、９が取り付けられている。軸保持板９、９にはそれぞれガイド軸１０、１０が保持され、該ガイド軸１０、１０がピックアップ配置孔３ａの開口縁に沿って位置されている。
【００４０】
ベースシャーシ３には、ピックアップ配置孔３ａの開口縁に沿ってサブガイド軸１１、１１が配置されている。サブガイド軸１１、１１はそれぞれガイド軸１０、１０に平行な状態で配置され、軸方向における両端部がベースシャーシ３に取り付けられた軸保持部材１２、１２に保持されている。
【００４１】
軸保持板９は、図２に示すように、ベースシャーシ３の長手方向に延びる被取付部１３と該被取付部１３の長手方向における両端部から直交する同じ方向へ突出された軸保持突部１４、１４とを有している。被取付部１３には長手方向に離隔して軸保持突部１４、１４が突出された側に開口された配置用切欠１３ａ、１３ａが形成されている。軸保持突部１４、１４には保持溝１４ａ、１４ａが形成されている。
【００４２】
軸保持板９は被取付部１３がピックアップ配置孔３ａの開口縁に沿って、例えば、ネジ止めによりベースシャーシ３に取り付けられている。被取付部１３がベースシャーシ３に取り付けられた状態においては、配置用切欠１３ａ、１３ａがピックアップ配置孔３ａに位置される。
【００４３】
軸保持板９の保持溝１４ａ、１４ａにはそれぞれガイド軸１０の軸方向における両端部が挿入されて保持される。軸保持板９に保持されたガイド軸１０と軸保持部材１２、１２に保持されたサブガイド軸１１には、図１に示すように、光ピックアップ１５がディスクテーブル８に装着されるディスク状記録媒体１００の半径方向へ移動自在に支持されている。
【００４４】
フレキシブルプリント配線板４は、図２に示すように、ベースシャーシ３の長手方向に長く形成された第１の部分１６と、同じくベースシャーシ３の長手方向に長く形成された第２の部分１７と、該第２の部分１７の長手方向における一端に連続して設けられた屈曲部１８と、該屈曲部１８を挟んで第２の部分１７の反対側に設けられた保護部１９と、該保護部１９と第１の部分１６を連結する連結部２０とから成る。フレキシブルプリント配線板４において、保護部１９には電子部品が搭載されておらず配線も形成されていない。
【００４５】
第１の部分１６と第２の部分１７は平行な状態で位置され、連結部２０は第１の部分１６及び第２の部分１７に対して直交する方向に延びるように設けられている。
【００４６】
フレキシブルプリント配線板４には、一方の面、例えば、上面４ａにのみ電子部品が搭載されている。電子部品としては、例えば、ディスク状記録媒体１００のディスクテーブル８に対する装着の有無やディスク状記録媒体１００の種類を検出するためのメディア検出センサー２１、２１と光ピックアップ１５の位置検出を行う位置検出センサー２２、２２とが設けられ、メディア検出センサー２１、２１は第１の部分１６に搭載され、位置検出センサー２２、２２は第２の部分１７に搭載されている。
【００４７】
フレキシブルプリント配線板４は、第１の部分１６がベースシャーシ３に取り付けられ、第２の部分１７が屈曲部１８で折り曲げられて該屈曲部１８の上面に重なる方向へ第１の部分１６に対して折り返され軸保持板９の被取付部１３に取り付けられる。従って、第１の部分１６がベースシャーシ３に取り付けられ、第２の部分１７が軸保持板９に取り付けられた状態においては、第２の部分１７に搭載された位置検出センサー２２、２２が下方を向いた状態とされ、該位置検出センサー２２、２２はそれぞれ軸保持板９の配置用切欠１３ａ、１３ａに上側から挿入されてピックアップ配置孔３ａに配置される。
【００４８】
上記のように、第１の部分１６がベースシャーシ３に取り付けられ、第２の部分１７が軸保持板９に取り付けられるため、第１の部分１６と第２の部分１７は重ならない状態で配置され、その分、ディスクドライブ装置１の薄型化を図ることができる。
【００４９】
フレキシブルプリント配線板４がベースシャーシ３及び軸保持板９に取り付けられた状態においては、保護部１９がベースシャーシ３と軸保持板９に跨った状態で配置される。このとき第２の部分１７は屈曲部１８側の端部が保護部１９に重ねられた状態とされる。
【００５０】
従って、第２の部分１７が軸保持板９の端縁９ａに接触することがなく、第２の部分１７に形成された配線の断線を防止することができる。
【００５１】
以上に記載した通り、ディスクドライブ装置１にあっては、フレキシブルプリント配線板４の上面４ａにのみ電子部品が搭載されているため、フレキシブルプリント配線板４に対して電子部品を搭載（マウント）する工程が１工程で済み、製造コストの低減を図ることができる。
【００５２】
また、メディア検出センサー２１、２１と位置検出センサー２２、２２の２種類のセンサーを同一のフレキシブルプリント配線板４に搭載しているため、一つのフレキシブルプリント配線板４をベースシャーシ３及び軸保持板９に対して組み付ければよく、組付作業の時間が短縮化されると共に部品点数を削減することができ、製造コストの低減を図ることができる。
【００５３】
さらに、光ピックアップ１５を支持するガイド軸１０が保持された軸保持板９に、光ピックアップ１５の移動位置を検出する位置検出センサー２２、２２が搭載された第２の部分１７が取り付けられているため、光ピックアップ１５に対する位置検出センサー２２、２２の位置精度が向上し、光ピックアップ１５の動作の信頼性の向上を図ることができる。
【００５４】
次に、第２の最良の形態について説明する（図６及び図７参照）。
【００５５】
尚、以下に示す第２の最良の形態は、上記した第１の最良の形態と比較して、ベースシャーシにガイド軸を保持する軸保持突部が一体に形成され軸保持板が設けられていないこと及びフレキシブルプリント配線板の形状及び第２の部分の折返し方が異なることのみが相違するため、第１の最良の形態と比較して異なる部分についてのみ詳細に説明をし、その他の部分については第１の最良の形態における同様の部分に付した符号と同じ符号を付して説明は省略する。
【００５６】
ベースシャーシ３Ａにはピックアップ配置孔３ａ側へ突出された軸保持突部２３、２３、・・・が一体に設けられ、該軸保持突部２３、２３、・・・にはそれぞれ保持溝２３ａ、２３ａ、・・・が形成されている。ベースシャーシ３Ａの保持溝２３ａ、２３ａにはそれぞれガイド軸１０の軸方向における両端部が挿入されて保持される。
【００５７】
ベースシャーシ３Ａ上には、ピックアップ配置孔３ａ側に開口された配置用切欠３ｂ、３ｂが形成されている。
【００５８】
ベースシャーシ３Ａ上には、ピックアップ配置孔３ａの両側にそれぞれフレキシブルプリント配線板４Ａ、４Ａが取り付けられている。
【００５９】
フレキシブルプリント配線板４Ａは、ベースシャーシ３Ａの長手方向に長く形成された第１の部分１６Ａと、同じくベースシャーシ３Ａの長手方向に長く形成された第２の部分１７Ａと、第１の部分１６Ａと第２の部分１７Ａを連結する屈曲部１８Ａとから成る。第２の部分１７Ａの長手方向における中央部にはネジ挿通孔１７ａが形成されている。
【００６０】
第１の部分１６Ａと第２の部分１７Ａは平行な状態で位置され、屈曲部１８Ａは第１の部分１６Ａ及び第２の部分１７Ａに対して直交する方向に延びるように設けられている。屈曲部１８Ａは第１の部分１６Ａの一端寄りの部分と第２の部分１７Ａの長手方向における中央部から当該長手方向に稍偏倚した部分とを連結している。
【００６１】
フレキシブルプリント配線板４Ａには、一方の面、例えば、上面４ａにのみ電子部品が搭載されている。電子部品として設けられたメディア検出センサー２１、２１は第１の部分１６Ａに搭載され位置検出センサー２２、２２は第２の部分１７Ａに搭載されている。
【００６２】
フレキシブルプリント配線板４Ａは、第１の部分１６Ａがベースシャーシ３に取り付けられた状態において、第２の部分１７Ａが屈曲部１８Ａで折り曲げられて第１の部分１６Ａに対して折り返される。第２の部分１７Ａは屈曲部１８Ａの下面に重なる方向へ折り返される。折り返された第２の部分１７Ａは、ネジ挿通孔１７ａに図示しない取付ネジが挿入されてベースシャーシ３Ａに取り付けられる。
【００６３】
フレキシブルプリント配線板４Ａがベースシャーシ３Ａに取り付けられた状態においては、第２の部分１７Ａに搭載された位置検出センサー２２、２２が下方を向いた状態で配置用切欠３ｂに配置される。
【００６４】
以上に記載した通り、ディスクドライブ装置１にあっては、フレキシブルプリント配線板４Ａの上面４ａにのみ電子部品を搭載しているため、フレキシブルプリント配線板４Ａに対して電子部品を搭載（マウント）する工程が１工程で済み、製造コストの低減を図ることができる。
【００６５】
また、メディア検出センサー２１、２１と位置検出センサー２２、２２の２種類のセンサーを同一のフレキシブルプリント配線板４Ａに搭載しているため、一つのフレキシブルプリント配線板４Ａをベースシャーシ３Ａに対して組み付ければよく、組付作業の時間が短縮化されると共に部品点数を削減することができ、製造コストの低減を図ることができる。
【００６６】
さらに、光ピックアップ１５を支持するガイド軸１０が保持されたベースシャーシ３に、光ピックアップ１５の移動位置を検出する位置検出センサー２２、２２が搭載された第２の部分１７Ａが取り付けられているため、光ピックアップ１５に対する位置検出センサー２２、２２の位置精度が向上し、光ピックアップ１５の動作の信頼性の向上を図ることができる。
【００６７】
加えて、フレキシブルプリント配線板４Ａにあっては、屈曲部１８Ａが第２の部分１７Ａの長手方向における中央部から当該長手方向に稍偏倚した部分に連結されているため、第２の部分１７Ａが折り返された状態において長手方向における中央部に形成されたネジ挿通孔１７ａが屈曲部１８Ａに重なることがなく、第２の部分１７Ａの長手方向における中央部をベースシャーシ３にネジ止めによって取り付けることができ、第２の部分１７Ａのベースシャーシ３に対する取付状態の安定化を図ることができる。
【００６８】
上記には、２つの光ピックアップ１５、１５が設けられた例を示したが、本発明の適用範囲は２つの光ピックアップ１５、１５を有する装置に限られることはなく、本発明は一つ又は三つ以上の光ピックアップが設けられた装置にも適用することができる。
【００６９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７０】
【図１】図２乃至図５と共に本発明の第１の最良の形態を示すものであり、本図は、ディスクドライブ装置の概略斜視図である。
【図２】ベースシャーシと軸保持板とフレキシブルプリント配線板を示す拡大分解斜視図である。
【図３】フレキシブルプリント配線板の第２の部分が軸保持板に取り付けられる前の状態を示す斜視図である。
【図４】フレキシブルプリント配線板の第２の部分が折り返されて軸保持板に取り付けられた状態を示す斜視図である。
【図５】保護部に第２の部分が重ねられて第２の部分が軸保持板に取り付けられた状態を示す拡大断面図である。
【図６】図７と共に本発明の第２の最良の形態を示すものであり、本図は、第２の部分が折り返される前の状態を示す拡大斜視図である。
【図７】第２の部分が折り返されてベースシャーシに取り付けられた状態を示す拡大斜視図である。
【符号の説明】
【００７１】
１…ディスクドライブ装置、３…ベースシャーシ、３ａ…ピックアップ配置孔、４…フレキシブルプリント配線板、４ａ…上面（一方の面）、９…軸保持板、１０…ガイド軸、１１…サブガイド軸、１２…軸保持部材、１５…光ピックアップ、１６…第１の部分、１７…第２の部分、１８…屈曲部、１９…保護部、２２…位置検出センサー、３Ａ…ベースシャーシ、４Ａ…フレキシブルプリント配線板、１６Ａ…第１の部分、１７Ａ…第２の部分、１７ａ…ネジ挿通孔、１８Ａ…屈曲部、１００…ディスク状記録媒体
【図１】
2008251105.tif 000003
【図２】
2008251105.tif 000004
【図３】
2008251105.tif 000005
【図４】
2008251105.tif 000006
【図５】
2008251105.tif 000007
【図６】
2008251105.tif 000008
【図７】
2008251105.tif 000009